(57)【要約】【課題】端子と基板との間の接続部分の損傷を抑制できるテレビジョン受像装置を提供する。【解決手段】一つの実施の形態に係るテレビジョン受像装置は、開口部を有した筐体と、前記筐体内の基板と、導電性のシールド部と、モジュール部と、延出部とを備える。前記シールド部は、第１の部分と、前記第１の部分の両端部で前記第１の部分と交差するとともに前記基板に固定された一対の第２の部分と、前記一対の第２の部分を連結した少なくとも一つの第３の部分と、を有する。前記モジュール部は、前記基板に設けられ、前記シールド部の前記第１ないし第３の部分に囲まれた回路部と、前記回路部に電気的に接続されるとともに前記シールド部の前記第１の部分に固定され、前記筐体の前記開口部から露出された端子部と、を有する。前記延出部は、前記シールド部の前記第１の部分の前記端部から延び、前記基板に固定される。【選択図】    図３
2014003366.tif 000002
【特許請求の範囲】
【請求項１】
開口部を有した筐体と、
前記筐体内の基板と、
第１の部分と、前記第１の部分の両端部で前記第１の部分と交差するとともに前記基板に固定された一対の第２の部分と、前記一対の第２の部分を連結した少なくとも一つの第３の部分と、を有した導電性のシールド部と、
前記基板に設けられ、前記シールド部の前記第１ないし第３の部分に囲まれた回路部と、前記回路部に電気的に接続されるとともに前記シールド部の前記第１の部分に固定され、前記筐体の前記開口部から露出された端子部と、を有するモジュール部と、
前記シールド部の前記第１の部分の前記端部から延び、前記基板に固定された延出部と、
を具備したテレビジョン受像装置。
【請求項２】
前記モジュール部がチューナを有した請求項１に記載のテレビジョン受像装置。
【請求項３】
前記基板は、グランド部と、前記グランド部に電気的に接続された少なくとも一つの挿入孔とを有し、
前記延出部が、前記挿入孔に挿入されて前記グランド部に電気的に接続された挿入部を有した請求項２に記載のテレビジョン受像装置。
【請求項４】
前記延出部は、前記挿入部が前記挿入孔に半田付けされることによって、前記基板に固定された請求項３に記載のテレビジョン受像装置。
【請求項５】
前記延出部は、前記第１の部分に沿って延びた基部と、前記基部と交差するとともに前記挿入部が設けられた交差部と、を有した請求項４に記載のテレビジョン受像装置。
【請求項６】
前記シールド部の前記第１の部分は、前記モジュール部の前記端子部が固定された外壁部と、前記外壁部に連結され、前記基板の前記挿入孔に挿入されて前記グランド部に電気的に接続された他の挿入部と、を有した請求項５に記載のテレビジョン受像装置。
【請求項７】
前記シールド部の前記第１の部分は、前記外壁部と連続するとともに前記外壁部と対向した内壁部を有し、
前記他の挿入部は、前記内壁部に設けられ、前記内壁部を介して前記外壁部に連結された請求項６に記載のテレビジョン受像装置。
【請求項８】
基板と、
第１の部分と、前記第１の部分の両端部で前記第１の部分と交差するとともに前記基板に固定された一対の第２の部分と、前記一対の第２の部分を連結した少なくとも一つの第３の部分と、を有した導電性のシールド部と、
前記基板に設けられ、前記シールド部の前記第１ないし第３の部分に囲まれた回路部と、前記回路部に電気的に接続されるとともに前記シールド部の前記第１の部分に固定された端子部と、を有するモジュール部と、
前記シールド部の前記第１の部分の前記端部から延び、前記基板に固定された延出部と、
を具備した基板モジュール。
【請求項９】
開口部を有した筐体と、
前記筐体内の基板と、
第１の部分と、前記第１の部分の端部で前記第１の部分と交差するとともに前記基板に固定された第２の部分と、を有した導電性のシールド部と、
前記基板に実装されるとともに前記シールド部の前記第１の部分に固定され、前記筐体の前記開口部から露出されたコネクタと、
前記シールド部の前記第１の部分の前記端部から延び、前記基板に固定された延出部と、
を具備した電子機器。
【発明の詳細な説明】
【技術分野】
【０００１】
本発明の実施形態は、テレビジョン受像装置、基板モジュールおよび電子機器に関する。
【背景技術】
【０００２】
テレビジョン受像装置は、目的とする周波数の電波を選択するチューナを備える。チューナは、液晶ディスプレイのような他の部品から生じるノイズによる干渉を抑えるためのシールドケースを有している。当該シールドケース内に、コイルのような種々の電子部品を含む回路が形成される。
【０００３】
また、回路がシールドケース内に形成されたチューナだけでなく、いわゆるオンボードタイプのチューナが知られる。オンボードタイプのチューナでは、回路が、ＭＰＵのような他の電子部品が実装されたメイン基板に形成される。そして、アンテナ線が挿抜される端子が、当該メイン基板に実装される。
【先行技術文献】
【特許文献】
【０００４】
【特許文献１】特開２００６−１０８０２１号公報
【発明の概要】
【発明が解決しようとする課題】
【０００５】
上述のチューナのような、基板に端子が実装される装置には、種々の改良の余地がある。例えば、端子と基板との間の接続部分を補強することが求められる。
【０００６】
本発明の目的は、端子と基板との間の接続部分の損傷を抑制できるテレビジョン受像装置および基板モジュールを提供することにある。また、本発明の他の目的は、コネクタと基板との間の接続部分の損傷を抑制できる電子機器を提供することにある。
【課題を解決するための手段】
【０００７】
一つの実施の形態に係るテレビジョン受像装置は、開口部を有した筐体と、前記筐体内の基板と、導電性のシールド部と、モジュール部と、延出部とを備える。前記シールド部は、第１の部分と、前記第１の部分の両端部で前記第１の部分と交差するとともに前記基板に固定された一対の第２の部分と、前記一対の第２の部分を連結した少なくとも一つの第３の部分と、を有する。前記モジュール部は、前記基板に設けられ、前記シールド部の前記第１ないし第３の部分に囲まれた回路部と、前記回路部に電気的に接続されるとともに前記シールド部の前記第１の部分に固定され、前記筐体の前記開口部から露出された端子部と、を有する。前記延出部は、前記シールド部の前記第１の部分の前記端部から延び、前記基板に固定される。
【図面の簡単な説明】
【０００８】
【図１】第１の実施の形態に係るテレビを示す斜視図。
【図２】第１の実施形態のテレビを図１のＦ２−Ｆ２線に沿って示す断面図。
【図３】第１の実施形態のメイン基板およびチューナモジュールを分解して示す斜視図。
【図４】第１の実施形態のメイン基板とチューナモジュールとを示す平面図。
【図５】第１の実施形態のメイン基板およびチューナモジュールを図４のＦ５−Ｆ５線に沿って示す断面図。
【図６】第２の実施の形態に係るメイン基板およびチューナモジュールを分解して示す斜視図。
【図７】第２の実施形態のメイン基板とチューナモジュールとを示す平面図。
【図８】第３の実施の形態に係るメイン基板およびチューナモジュールを分解して示す斜視図。
【図９】第４の実施の形態に係るポータブルコンピュータを示す斜視図。
【図１０】第５の実施の形態に係るメイン基板を示す斜視図。
【発明を実施するための形態】
【０００９】
以下に、第１の実施の形態について、図１から図５を参照して説明する。なお、本明細書において、手前側（即ちユーザ側）を前方、ユーザから見て遠い側を後方、ユーザから見て左側を左方、ユーザから見て右側を右方、ユーザから見て上方を上方、ユーザから見て下方を下方と定義する。さらに、複数の表現が可能な各要素について一つ以上の他の表現の例を付すことがあるが、これは他の表現が付されていない要素について異なる表現がされることを否定するものではないし、例示されていない他の表現がされることを制限するものでもない。
【００１０】
図１は、テレビジョン受像装置１０（以下、テレビと称する）を示す斜視図である。テレビ１０は、テレビジョン受像装置および電子機器の一例である。図１に示すように、テレビ１０は、筐体１１と、ディスプレイモジュール１２と、スタンド１３と、メイン基板１４とを備える。ディスプレイモジュール１２は、パネル、表示部、表示装置、部品のような種々の表現がされ得る。メイン基板１４は、基板および基板モジュールの一例であり、部品、モジュール、回路板、マザーボードのような種々の表現がされ得る。テレビ１０は、例えば、サブ基板またはドーターボードと呼ばれる基板を備えても良い。
【００１１】
筐体１１は、略矩形状に形成されている。筐体１１は、筐体１１の前面を形成するフロントカバー１６と、筐体１１の背面を形成するリアカバー１７とを有している。リアカバー１７は、筐体１１の側面の一部も形成している。
【００１２】
筐体１１の側面に、操作部１８が設けられている。操作部１８には、複数のボタン２１と、複数の孔２２とが設けられている。複数のボタン２１は、テレビ１０の電源を入れたり、チャンネルを変更したりする際に用いられる。複数の孔２２は、例えばカードや、ケーブルの端子が挿通される。
【００１３】
スタンド１３は、例えば筐体１１の背面に取り外し可能に連結される。スタンド１３は、筐体１１を回動可能に支持する。なお、筐体１１は、スタンド１３を用いずに例えば壁に掛けられても良い。
【００１４】
図２は、図１のＦ２−Ｆ２線に沿ってテレビ１０を示す断面図である。図２において、見易さのためにスタンド１３は省略される。図２に示すように、ディスプレイモジュール１２とメイン基板１４とは、筐体１１の内部に収容されている。
【００１５】
ディスプレイモジュール１２は、例えば液晶ディスプレイである。なお、ディスプレイモジュール１２は液晶ディスプレイに限らず、有機ＥＬディスプレイのような他の画像を映し出す部品であっても良い。
【００１６】
ディスプレイモジュール１２は、矩形状に形成され、例えばフロントカバー１６に固定されている。ディスプレイモジュール１２は、画像を映し出す表示面１２ａを有している。なお、本明細書において画像とは、静止画、動画、および単色の画面をも含む。表示面１２ａは、フロントカバー１６に設けられた矩形状の開口１６ａから筐体１１の外部に露出される。
【００１７】
メイン基板１４は、略矩形状に形成されている。メイン基板１４は、例えばスペーサ２４を介して、ディスプレイモジュール１２の背面１２ｂに取り付けられている。背面１２ｂは、表示面１２ａの反対側に位置している。
【００１８】
メイン基板１４は、第１の面１４ａと、第２の面１４ｂとを有している。第２の面１４ｂは、第１の面１４ａの反対側に位置するとともに、ディスプレイモジュール１２の背面１２ｂと対向している。
【００１９】
第１の面１４ａには、複数のスイッチモジュール２６、カードスロット２７、複数のコネクタ２８、チューナモジュール２９、およびＭＰＵのような種々の電子部品が設けられている。チューナモジュール２９は、モジュール部、チューナ、およびコネクタの一例であり、同調器、部品、およびユニットのような種々の表現がされ得る。なお、当該種々の電子部品は第１の面１４ａに限らず、第２の面１４ｂのようなメイン基板１４の他の箇所に設けられても良い。
【００２０】
複数のスイッチモジュール２６は、図１の複数のボタン２１に対応している。カードスロット２７およびコネクタ２８は、図１の複数の孔２２に対応している。
【００２１】
チューナモジュール２９は、メイン基板１４の下端部１４ｃに配置される。下端部１４ｃは、メイン基板１４の下縁１４ｄ近傍の領域である。なお、チューナモジュール２９は、メイン基板１４の下端部１４ｃに限らず、他の場所に配置されても良い。
【００２２】
図３は、メイン基板１４の一部およびチューナモジュール２９を分解して示す斜視図である。図４は、メイン基板１４の一部と、一部の部品が除かれたチューナモジュール２９と、を示す平面図である。図５は、図４のＦ５−Ｆ５線に沿ってメイン基板１４および一部の部品が除かれたチューナモジュール２９の一部を示す断面図である。
【００２３】
図３に示すように、チューナモジュール２９は、複数のチップ３１Ａ，３１Ｂと、コイル３２と、シールド部３３と、二つの端子部３４と、第１のシールドカバー３５と、第２のシールドカバー３６とを有している。複数のチップ３１Ａ，３１Ｂおよびコイル３２は、回路部の一例である。シールド部３３は、部品、壁部、枠部、および隔壁のような、種々の表現をし得る。端子部３４は、プラグ、接栓、および接続部のような、種々の表現をし得る。
【００２４】
複数のチップ３１Ａ，３１Ｂとコイル３２とは、メイン基板１４の第１の面１４ａにそれぞれ実装されている。チップ３１Ａ，３１Ｂおよびコイル３２は、第１の面１４ａに設けられた配線パターンにそれぞれ電気的に接続される。当該配線パターンと、チップ３１Ａ，３１Ｂと、コイル３２とは、チューナ回路を形成する。例えば、複数のチップ３１Ａは、例えば、地上デジタル放送の任意の周波数の電波に同調する。複数のチップ３１Ｂは、例えば、ＢＳおよびＣＳ放送の任意の周波数の電波に同調する。チップ３１Ａ，３１Ｂ、コイル３２、および前記配線パターンが形成するチューナ回路は、メイン基板１４に形成された他の配線パターンに接続される。
【００２５】
メイン基板１４に、凹部４１と、複数のスリット４２と、複数の挿入孔４３とが設けられている。さらに、図５に示すように、メイン基板１４の内部に、グランド層４４が設けられている。グランド層４４は、グランド部の一例である。
【００２６】
図３に示すように、凹部４１は、メイン基板１４の下縁１４ｄに設けられている。すなわち、凹部４１を規定する縁部は、下縁１４ｄよりも、メイン基板１４の内側に位置している。複数のスリット４２は、チップ３１Ａ，３１Ｂおよびコイル３２を囲むように配置されている。
【００２７】
図５に示すように、挿入孔４３は、グランド層４４に電気的に接続されている。すなわち、挿入孔４３に接続された導電体は、グランド層４４によって接地される。なお、挿入孔４３は図３のような丸孔に限らず、矩形状のような他の形状の孔であっても良い。
【００２８】
図３に示すように、シールド部３３は、第１の部分５１と、一対の第２の部分５２と、複数の第３の部分５３と、複数の第４の部分５４とを有している。第１ないし第４の部分５１〜５４は、例えば壁部、隔壁、およびシールドのような種々の表現がされ得る。
【００２９】
第１ないし第４の部分５１〜５４は、それぞれ矩形の金属板によって形成されている。すなわち、シールド部３３は導電性を有している。第１ないし第４の部分５１〜５４は、溶接、かしめ、および接着のような種々の手段によって組み合わされ、図３に示すような格子状に形成される。
【００３０】
図５に示すように、第１の部分５１は、外壁部５６と、内壁部５７と、二つの第１の挿入部５８とを有している。第１の挿入部５８は、他の挿入部の一例である。外壁部５６、内壁部５７、および第１の挿入部５８は、一体に形成されている。なお、外壁部５６と内壁部５７とが、別の部材によって形成されても良い。
【００３１】
外壁部５６は、凹部４１の中に配置されている。外壁部５６は、図５に示すようにメイン基板１４に対して直交するとともに、図３に示すようにメイン基板１４の下縁１４ｄに沿う方向に向かって延びている。外壁部５６は、凹部４１を規定するメイン基板１４の縁部に面している。外壁部５６に、端子部３４がそれぞれ固定されている。
【００３２】
内壁部５７は、外壁部５６から連続するとともに、外壁部５６と対向している。内壁部５７は、例えば外壁部５６を形成する金属板を折り曲げることによって形成される。なお、内壁部５７はこれに限らない。例えば外壁部５６と内壁部５７とが別の部材によって形成される場合、内壁部５７は、外壁部５６の中央部分に一部が溶接されて形成されても良い。内壁部５７は、外壁部５６よりもメイン基板１４の内側に位置している。内壁部５７の先端は、メイン基板１４の第１の面１４ａに向いている。
【００３３】
第１の挿入部５８は、内壁部５７の先端にそれぞれ設けられている。言い換えると、第１の挿入部５８は、内壁部５７を介して外壁部５６に連結されている。第１の挿入部５８は、例えば角柱状のピンであり、対応する挿入孔４３に挿入されている。第１の挿入部５８は、挿入孔４３に半田付けされる。これにより、第１の挿入部５８は、グランド層４４に電気的に接続されるとともに、メイン基板１４に固定される。
【００３４】
図４に示すように、第２の部分５２は、第１の部分５１の両端部で、第１の部分５１と直交している。図３に示すように、第２の部分５２は、複数の突出部６１と、複数の第２の挿入部６２とをそれぞれ有している。
【００３５】
突出部６１は、メイン基板１４に向かって突出する板状の部分である。突出部６１は、メイン基板１４に設けられたスリット４２にそれぞれ挿入される。図５に示すように、突出部６１は、スリット４２を貫通し、その先端がメイン基板１４の第２の面１４ｂから突き出ている。
【００３６】
第２の挿入部６２は、メイン基板１４に向かって突出する角柱状のピンである。第２の挿入部６２は、対応する挿入孔４３に挿入されている。第２の挿入部６２は、挿入孔４３に半田付けされる。これにより、第２の挿入部６２がグランド層４４に電気的に接続されるとともに、メイン基板１４に固定される。
【００３７】
図３に示すように、複数の第３の部分５３は、互いに連結されている。連結された第３の部分５３の一方の端部は、一方の第２の部分５２の端部に固定されている。連結された第３の部分５３の他方の端部は、他方の第２の部分５２の端部に固定されている。言い換えると、複数の第３の部分５３によって、一対の第２の部分５２が連結されている。
【００３８】
第３の部分５３は、第２の部分５２と同様に、複数の突出部６１と、複数の第２の挿入部６２とを有している。すなわち、第３の部分５３の第２の挿入部６２は、メイン基板１４に固定されている。
【００３９】
上述のように組み合わされた第１ないし第３の部分５１〜５３は、枠を形成する。枠状の第１ないし第３の部分５１〜５３は、メイン基板１４の第１の面１４ａにおいて、チップ３１Ａ，３１Ｂ、コイル３２、および前記配線パターンが設けられた領域を囲む。言い換えると、枠状の第１ないし第３の部分５１〜５３は、前記チューナ回路を囲む。
【００４０】
第１ないし第３の部分５１〜５３の外側の面に、それぞれ複数の突起部６４が設けられている。突起部６４は、例えば突出部６１の先端部と、突出部６１の反対側に位置する端部にそれぞれ配置されている。突起部６４は、第１ないし第３の部分５１〜５３の長手方向に沿って延びている。
【００４１】
複数の第４の部分５４は、格子状に組み合わされ、第１ないし第３の部分５１〜５３に固定されている。複数の第４の部分５４は、枠状の第１ないし第３の部分５１〜５３の内側を、複数の領域に区切っている。当該複数の領域に、一つのチップ３１Ａ，３１Ｂが配置される。なお、チップ３１Ａ，３１Ｂが配置されない領域も設けられる。また、それぞれの当該領域に、複数のチップ３１Ａ，３１Ｂが配置されても良い。
【００４２】
図４に示すように、チップ３１Ａが配置される領域と、チップ３１Ｂが配置される領域とは、二つの第４の部分５４によって隔てられている。なお、チップ３１Ａが配置される領域と、チップ３１Ｂが配置される領域とが、一つの第４の部分５４によって隔てられても良い。さらに、当該第４の部分５４は、他の第１ないし第４の部分５１〜５４より厚くても良い。
【００４３】
図３に示すように、第４の部分５４は、第２の部分５２と同様に、複数の第２の挿入部６２を有している。すなわち、第４の部分５４の第２の挿入部６２は、メイン基板１４に固定されている。
【００４４】
図５に示すように、端子部３４は、接栓部６６と、接続端子６７とをそれぞれ有している。接栓部６６は、例えば、第１の部分５１に設けられた孔にかしめられている。接栓部６６は、第１の部分５１から突出している。接栓部６６は、外周面にネジ山が設けられた円柱状に形成されている。接栓部６６に、アンテナ線の端子が接続される。
【００４５】
接続端子６７は、接栓部６６から突出している。接続端子６７は、例えば第１の部分５１の内壁部５７に設けられた孔を通って、メイン基板１４に設けられた前記配線パターンに電気的に接続される。接続端子６７は、メイン基板１４に半田付けされる。
【００４６】
図２に示すように、リアカバー１７の下端部に、二つの接続端子６７に対応する二つの開口部６９が設けられている。接栓部６６は、開口部６９を通って筐体１１の外に突出している。言い換えると、接栓部６６は、開口部６９から露出される。
【００４７】
図３に示すように、シールド部３３に、延出部７１が設けられている。延出部７１は、例えば第２の部分５２を形成する金属板を折り曲げることで形成されている。なお、延出部７１はこれに限らない。例えば、延出部７１は、第１の部分５１と一体に形成されても良いし、シールド部３３と異なる金属板によって形成されても良い。
【００４８】
一対の延出部７１は、第１の部分５１の両端から延びている。言い換えると、図４に示すように、一対の延出部７１と第１の部分５１とが直線状に並んでいる。なお、延出部７１は、第１の部分５１とずれていても良い。
【００４９】
図３に示すように、延出部７１は、第３の挿入部７２を有している。第３の挿入部７２は、挿入部の一例である。第３の挿入部７２は、延出部７１の端部に配置されている。第３の挿入部７２は、メイン基板１４に向かって突出する角柱状のピンである。
【００５０】
第３の挿入部７２は、対応する挿入孔４３に挿入されている。第３の挿入部７２は、挿入孔４３に半田付けされる。これにより、第３の挿入部７２は、グランド層４４に電気的に接続されるとともに、メイン基板１４に固定される。
【００５１】
第１および第２のシールドカバー３５，３６は、シールド部３３に取り付けられる。シールド部３３は、複数の爪部７５をそれぞれ有している。爪部７５は、第１ないし第３の部分５１〜５３に設けられた突起部６４に係合する。これにより、第１および第２のシールドカバー３５，３６は、シールド部３３に固定される。
【００５２】
第１のシールドカバー３５は、枠状の第１ないし第３の部分５１〜５３に囲まれた、メイン基板１４の第１の面１４ａを覆う。一方、第２のシールドカバー３６は、第１ないし第３の部分５１〜５３の突出部６１に固定されるとともに、メイン基板１４の第２の面１４ｂを覆う。
【００５３】
メイン基板１４に実装されたチップ３１Ａ，３１Ｂは、それぞれ、シールド部３３と、第１および第２のシールドカバー３５，３６とに囲まれる。このため、チップ３１Ａ，３１Ｂは、シールド部３３と、第１および第２のシールドカバー３５，３６とによって、ディスプレイモジュール１２のような他の部品から発せられるノイズから遮蔽される。さらに、チップ３１Ａ，３１Ｂは、シールド部３３と、第１および第２のシールドカバー３５，３６とによって、端子部３４や、他のチップ３１Ａ，３１Ｂから発せられるノイズから遮蔽される。
【００５４】
ノイズを吸収したシールド部３３と、第１および第２のシールドカバー３５，３６とは、第１ないし第３の挿入部５８，６２，７２を介して、グランド層４４によって接地される。
【００５５】
また、端子部３４の接栓部６６にアンテナ線の端子がねじ込まれるとき、接栓部６６に例えばねじるような外力が作用する。延出部７１がメイン基板１４に固定されることで、接栓部６６が固定された第１の部分５１は補強される。すなわち、接栓部６６が固定された第１の部分５１は、接栓部６６に外力が作用したとしても、変形および変位し難い。
【００５６】
前記構成のテレビ１０によれば、第１の部分５１の端部から延びた延出部７１が、メイン基板１４に固定されている。このため、上記のように第１の部分５１が変形および変位し難くなる。したがって、メイン基板１４に接続された端子部３４の接続端子６７に外力が作用することが抑制され、端子部３４とメイン基板１４との間の接続部分の損傷を抑制でき、チューナモジュール２９の信頼性が向上する。
【００５７】
また、延出部７１がメイン基板１４に固定されることで、シールド部３３とメイン基板１４との固定箇所が増える。これにより、端子部３４に外力が作用したときに、メイン基板１４に作用する力を分散できる。
【００５８】
延出部７１の第３の挿入部７２は、挿入孔４３に挿入されてグランド層４４に電気的に接続されている。これにより、シールド部３３とグランド層４４との間の接続が強化され、ディスプレイモジュール１２のような他の部品から発せられたノイズによる、チューナモジュール２９への干渉を抑制できる。
【００５９】
さらに、延出部７１の第３の挿入部７２は、端子部３４から発せられたノイズをグランド層４４に逃がす。シールド部３３の外側に位置する延出部７１が端子部３４のノイズを逃がすため、シールド部３３の内側の第１および第２の挿入部５８，６２を減らすことができる。したがって、シールド部３３の設計上の制約（位置規制）を緩和でき、例えばシールド部３３の占有面積を小さくすることができる。
【００６０】
延出部７１の第３の挿入部７２は、半田付けによってメイン基板１４に固定される。これにより、延出部７１をメイン基板１４に固定すると同時に、第３の挿入部７２とグランド層４４との電気的接続を確保することができる。したがって、テレビ１０の製造時の作業工程の増加を抑制できる。
【００６１】
第１の部分５１の外壁部５６に、第１の挿入部５８が連結される。これにより、端子部３４から発せられたノイズを、第１の挿入部５８から効率良くグランド層４４に逃がすことができる。
【００６２】
第１の部分５１は、外壁部５６に連続するとともに外壁部５６と対抗する内壁部５７を有している。これにより、第１の部分５１の剛性が向上し、端子部３４とメイン基板１４との間の接続部分の損傷を抑制できる。さらに、第１の部分５１のノイズ遮蔽能力が向上する。
【００６３】
一つのシールド部３３によって、複数のチップ３１Ａ，３１Ｂがノイズから遮蔽される。これにより、部品点数の増加を抑制でき、テレビ１０の製造コストを低減できる。
【００６４】
次に、図６および図７を参照して、第２の実施の形態について説明する。なお、以下に開示する少なくとも一つの実施形態において、第１の実施形態のテレビ１０と同一の機能を有する構成部分には同一の参照符号を付す。さらに、当該構成部分については、その説明を一部または全て省略することがある。
【００６５】
図６は、第２の実施の形態に係るメイン基板１４の一部およびチューナモジュール２９を分解して示す斜視図である。図７は、メイン基板１４の一部と、第１のシールドカバー３５が除かれたチューナモジュール２９と、を示す平面図である。
【００６６】
図６に示すように、第２の実施形態の延出部７１は、基部８１と、交差部８２とをそれぞれ有している。基部８１と交差部８２とは、延出部７１を形成する金属板を折り曲げて形成されている。
【００６７】
基部８１は、第１の部分５１に沿って延びている。交差部８２は、基部８１の端部から、基部８１と直交する方向に延びている。言い換えると、基部８１はメイン基板１４の下縁１４ｄに沿って延び、交差部８２はメイン基板１４の内側に向かって延びている。交差部８２の端部に、第３の挿入部７２が設けられている。なお、基部８１と交差部８２とは、９０°以外の角度で交差しても良い。
【００６８】
前記構成のテレビ１０によれば、延出部７１が、互いに交差する基部８１と交差部８２とを有している。これにより、延出部７１および第１の部分５１の剛性が向上し、端子部３４とメイン基板１４との間の接続部分の損傷をより抑制できる。
【００６９】
次に、図８を参照して、第３の実施の形態について説明する。図８は、第３の実施の形態に係るメイン基板１４の一部およびチューナモジュール２９を分解して示す斜視図である。
【００７０】
図８に示すように、シールド部３３において、一対の第２の部分５２の両端部を、それぞれ複数の第３の部分５３が連結している。すなわち、第２および第３の部分５２，５３が枠を形成する。
【００７１】
第１の部分５１は、一方の第２の部分５２から他方の第２の部分５２に亘って設けられている。第１の部分５１は、メイン基板１４の第１の面１４ａに対向している。このため、端子部３４の接栓部６６は、第１の面１４ａと直交する方向に突出している。
【００７２】
第１のシールドカバー３５に、端子部３４の接栓部６６に対応した二つの孔８５が設けられている。接栓部６６は、孔８５と、筐体１１の開口部６９とを通って、筐体１１の外に突出している。この第３の実施形態において、筐体１１の開口部６９は、筐体１１の背面に設けられる。
【００７３】
第３の実施形態において、延出部７１は、第１の部分５１と一体に形成されている。延出部７１の基部８１は、第１の部分５１の端部から連続して延びている。交差部８２は、基部８１の端部から、メイン基板１４に向かって延びている。第３の挿入部７２は、交差部８２の先端に設けられる。
【００７４】
上述の構成の第３の実施形態のテレビ１０においても、第１の実施形態のテレビ１０と同様に、延出部７１によって第１の部分５１が変形および変位し難くなる。したがって、端子部３４とメイン基板１４との間の接続部分の損傷を抑制できる。
【００７５】
次に、図９を参照して、第４の実施の形態について説明する。図９は、第４の実施の形態に係るポータブルコンピュータ９１を示す斜視図である。ポータブルコンピュータ９１は、メインユニット９２と、ディスプレイユニット９３とを備えている。ポータブルコンピュータ９１は、テレビジョン受像装置および電子機器の一例である。
【００７６】
メインユニット９２は、チューナモジュール２９が設けられたメイン基板１４を有している。図９に示すように、メインユニット９２の後端部９２ａに、開口部６９が設けられている。開口部６９から、端子部３４の接栓部６６が突出している。
【００７７】
第１の実施形態で説明したメイン基板１４は、ポータブルコンピュータ９１においても、第１の実施形態と同様に機能する。すなわち、テレビジョン受像器および電子機器は、テレビ１０に限らず、ポータブルコンピュータ９１や、ＤＶＤ／ＢＤレコーダ、ＨＤＤレコーダ、携帯電話、スマートフォン、ゲーム機、カーナビ、およびパーソナルコンピュータに接続される外部接続機器のような、種々の機器であっても良い。
【００７８】
次に、図１０を参照して、第５の実施の形態について説明する。図１０は、第５の実施の形態に係るメイン基板１４の一部を示す斜視図である。図１０に示すように、第５の実施形態のテレビ１０は、メイン基板１４と、シールド部３３と、二つのコネクタ９５を有している。
【００７９】
コネクタ９５には、例えばＵＳＢケーブルの端子が挿入される。なお、コネクタ９５はこれに限らず、例えばＨＤＭＩケーブルの端子のような、他の端子が挿入されても良い。コネクタ９５は、メイン基板１４の第１の面１４ａにそれぞれ実装されている。
【００８０】
シールド部３３は、第１の部分５１と、一対の第２の部分５２とを有している。第１の部分５１に、二つのコネクタ９５がそれぞれ固定されている。コネクタ９５は、第１の部分５１に設けられた二つの開口９６からそれぞれ露出されている。
【００８１】
一対の第２の部分５２は、第１の部分５１の両端部で、第１の部分５１と直交している。第２の部分５２は、複数の第２の挿入部６２を有している。第２の挿入部６２が挿入孔４３に挿入されて半田付けされている。これにより、第２の部分５２はメイン基板１４に固定されている。
【００８２】
シールド部３３に、一対の延出部７１が設けられている。延出部７１は、第１の部分５１の両端から延びている。延出部７１は、第３の挿入部７２を有している。第３の挿入部７２が挿入孔４３に挿入されて半田付けされている。これにより、延出部７１はメイン基板１４に固定されている。
【００８３】
前記構成のテレビ１０によれば、第１の部分５１の端部から延びた延出部７１が、メイン基板１４に固定されている。このため、第１の実施形態と同様に、第１の部分５１が変形および変位し難くなる。したがって、コネクタ９５とメイン基板１４との間の接続部分の損傷を抑制でき、コネクタ９５の信頼性が向上する。
【００８４】
上記のように、チューナモジュール２９の代わりにコネクタ９５を用いたとしても、第１の実施形態と同様に、コネクタ９５とメイン基板１４との間の接続部分の損傷を抑制できる。すなわち、コネクタはチューナモジュール２９に限らず、コネクタ９５や、カードスロット、およびイヤホンジャックのような種々のコネクタであっても良い。
【００８５】
以上述べた少なくとも一つのテレビジョン受像装置、基板モジュールおよび電子機器によれば、シールド部の第１の部分の端部から延びた延出部が、基板に固定される。これにより、第１の部分に固定された端子部またはコネクタと基板との間の接続部分の損傷を抑制できる。
【００８６】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００８７】
１０…テレビジョン受像装置、１１…筐体、１４…メイン基板、２９…チューナモジュール、３１Ａ，３１Ｂ…チップ、３２…コイル、３３…シールド部、３４…端子部、４３…挿入孔、４４…グランド部、５１…第１の部分、５２…第２の部分、５３…第３の部分、５６…外壁部、５７…内壁部、５８…第１の挿入部、６２…第２の挿入部、６９…開口部、７１…延出部、７２…第３の挿入部、８１…基部、８２…交差部、９１…ポータブルコンピュータ、９５…コネクタ。
【図１】
2014003366.tif 000003
【図２】
2014003366.tif 000004
【図３】
2014003366.tif 000005
【図４】
2014003366.tif 000006
【図５】
2014003366.tif 000007
【図６】
2014003366.tif 000008
【図７】
2014003366.tif 000009
【図８】
2014003366.tif 000010
【図９】
2014003366.tif 000011
【図１０】
2014003366.tif 000012